(57)【要約】  ＰＤＰ駆動制御においてリセット間引き駆動（第２の駆動）の制御による高画質化が得られると共に、特に低輝度表示の場合などにおける第２の駆動の制御ＯＮ／ＯＦＦのハンチングの発生及び背景輝度のパカツキを限定又は抑制できる技術である。本ＰＤＰ装置では、ＳＦ負荷率を用いた第２の駆動の制御に加え、フィールドのＡＰＬ値（ｋ）及びＡＰＬ変動量値（ｑ）を用い、ＡＰＬ変動量値（ｑ）が、所定の閾値未満の場合には、ＳＦ間でＳＦ負荷率がゼロからゼロ以外に変化した場合であっても、第１の駆動の実行を開始せずに第２の駆動の実行を継続する。
2008001470.tif 000002
【特許請求の範囲】
【請求項１】
電極群によりセル群による表示領域が構成されるプラズマディスプレイパネルと、前記プラズマディスプレイパネルの電極群を駆動及び制御する回路部とを備えるプラズマディスプレイ装置であって、
前記プラズマディスプレイパネルの表示領域に対応したフィールド期間の駆動制御において、前記フィールド期間は、階調表現のために輝度の重み付けに応じて分割された複数のサブフィールドを有し、前記サブフィールドは、リセット、アドレス、及びサステインの各期間及び動作を有し、
基本の制御として、前記サブフィールドの点灯セルの率である負荷率が、ゼロ以外である場合は、第１の駆動として、当該サブフィールドの前記リセットの期間及び動作を間引かずに駆動し、ゼロである場合は、第２の駆動として、当該サブフィールドの前記リセットの期間及び動作の少なくとも一部を間引いて駆動するものであり、
前記表示データをもとに、前記フィールド期間ごとのＡＰＬ（平均輝度レベル）値（ｋ）を検出又は算出し、更に当該フィールド期間を含む一定期間における前記ＡＰＬ値（ｋ）の変動量であるＡＰＬ変動量値（ｑ）を算出し、
前記ＡＰＬ変動量値（ｑ）が、所定の閾値未満の場合には、当該フィールド期間内の連続するサブフィールド間でその負荷率がゼロからゼロ以外に変化した場合であっても、前記基本の制御よりも優先して、前記第１の駆動の実行を開始せずに前記第２の駆動の実行を継続することを特徴とするプラズマディスプレイ装置。
【請求項２】
電極群によりセル群による表示領域が構成されるプラズマディスプレイパネルと、前記プラズマディスプレイパネルの電極群を駆動及び制御する回路部とを備えるプラズマディスプレイ装置であって、
前記プラズマディスプレイパネルの表示領域に対応したフィールド期間の駆動制御において、前記フィールド期間は、階調表現のために輝度の重み付けに応じて分割された複数のサブフィールドを有し、前記サブフィールドは、リセット、アドレス、及びサステインの各期間及び動作を有し、
基本の制御として、前記サブフィールドの点灯セルの率である負荷率が、ゼロ以外である場合は、第１の駆動として、当該サブフィールドの前記リセットの期間及び動作を間引かずに駆動し、ゼロである場合は、第２の駆動として、当該サブフィールドの前記リセットの期間及び動作の少なくとも一部を間引いて駆動するものであり、
前記表示データをもとに、前記フィールド期間ごとのＡＰＬ値（ｋ）を検出又は算出し、更に当該フィールド期間を含む一定期間における前記ＡＰＬ値（ｋ）の変動量であるＡＰＬ変動量値（ｑ）を算出し、
前記ＡＰＬ変動量値（ｑ）が、所定の閾値未満の場合には、当該フィールド期間内の連続するサブフィールド間でその負荷率がゼロ以外からゼロに変化した場合であっても、前記基本の制御よりも優先して、前記第２の駆動の実行を開始せずに前記第１の駆動の実行を継続することを特徴とするプラズマディスプレイ装置。
【請求項３】
請求項１記載のプラズマディスプレイ装置において、
前記ＡＰＬ変動量値（ｑ）として、前記ＡＰＬ値（ｋ）の複数フィールド期間における平均値である平均ＡＰＬ値（ｐ）をもとに、複数の連続するフィールド期間による一定期間における前記平均ＡＰＬ値（ｐ）の変動量である平均ＡＰＬ変動量値（Δｐ）を算出して用い、
前記平均ＡＰＬ変動量値（Δｐ）が、第１の閾値（ｍ）（０＜ｍ＜１）未満の場合には、当該フィールド期間内の連続するサブフィールド間でその負荷率がゼロからゼロ以外に変化した場合であっても、前記基本の制御よりも優先して、前記第１の駆動の実行を開始せずに前記第２の駆動の実行を継続することを特徴とするプラズマディスプレイ装置。
【請求項４】
請求項３記載のプラズマディスプレイ装置において、
前記ＡＰＬ変動量値（ｑ）が前記第１の閾値（ｍ）未満である状態が連続して前記第２の駆動の実行が継続され続ける場合に、
前記サブフィールド間でその負荷率がゼロからゼロ以外に変化した時点から、所定のリミット時間（Ｌ）を経過した場合には、その直後に自動的に、当該サブフィールドでの前記第２の駆動の実行を解除することを特徴とするプラズマディスプレイ装置。
【請求項５】
請求項３記載のプラズマディスプレイ装置において、
前記ＡＰＬ変動量値（ｑ）が前記第１の閾値（ｍ）未満である状態が連続して前記第２の駆動の実行が継続され続ける際に、
前記ＡＰＬ変動量値（ｑ）の累積値が、前記第１の閾値（ｍ）からの所定の閾値リミット（ａ）を超えた場合には、その直後に自動的に、該当サブフィールドで前記第２の駆動の実行を解除することを特徴とするプラズマディスプレイ装置。
【請求項６】
請求項３記載のプラズマディスプレイ装置において、
前記ＡＰＬ変動量値（ｑ）が前記第１の閾値（ｍ）未満である状態が連続して前記第２の駆動の実行が継続され続ける際に、
該当サブフィールド間でその負荷率がゼロからゼロ以外に変化した時点から所定のリミット時間（Ｌ）を経過した場合、または、前記ＡＰＬ変動量値（ｑ）の累積値が前記第１の閾値（ｍ）からの所定の閾値リミット（ａ）を超えた場合、その直後に自動的に、該当サブフィールドでの第２の駆動の実行を解除することを特徴とするプラズマディスプレイ装置。
【請求項７】
請求項３記載のプラズマディスプレイ装置において、
前記ＡＰＬ変動量値（ｑ）が前記第１の閾値（ｍ）未満である状態が連続し、前記第２の駆動が継続され続ける際に、
該当サブフィールド間でその負荷率がゼロからゼロ以外に変化した時点から所定のリミット時間（Ｌ）を経過した場合、かつ、前記ＡＰＬ変動量値（ｑ）の累積値が前記第１の閾値（ｍ）からの所定の閾値リミット（ａ）を超えた場合、その直後に自動的に、該当サブフィールドでの前記第２の駆動の実行を解除することを特徴とするプラズマディスプレイ装置。
【請求項８】
請求項１記載のプラズマディスプレイ装置において、
前記基本の制御として、前記フィールド期間のうち所定の輝度以上の１つ以上のサブフィールドを対象として、当該サブフィールドの負荷率が、ゼロ以外である場合は、第１の駆動として、当該サブフィールドの前記リセットの期間及び動作を間引かずに駆動し、ゼロである場合は、第２の駆動として、当該サブフィールドの前記リセットの期間及び動作の少なくとも一部を間引いて駆動することを特徴とするプラズマディスプレイ装置。
【請求項９】
請求項１記載のプラズマディスプレイ装置において、
前記フィールド期間のうち所定の輝度以下の１つ以上のサブフィールドでは、該当サブフィールドの負荷率に関係なく、常に前記第２の駆動を実行しないことを特徴とするプラズマディスプレイ装置。
【請求項１０】
請求項１記載のプラズマディスプレイ装置において、
前記フィールド期間のうち所定の輝度以下の１つ以上のサブフィールドでは、該当サブフィールドの負荷率に関係なく、常に前記第２の駆動を実行することを特徴とするプラズマディスプレイ装置。
【請求項１１】
請求項１記載のプラズマディスプレイ装置において、
前記フィールド期間のうち所定の輝度以下の１つ以上のサブフィールドでは、該当サブフィールドの負荷率に関係なく、常に前記第２の駆動を実行しないことと、常に前記第２の駆動を実行することとを、選択的に設定する手段を備えることを特徴とするプラズマディスプレイ装置。
【請求項１２】
請求項３記載のプラズマディスプレイ装置において、
前記回路部に、前記第１の閾値（ｍ）を、前記サブフィールド単位で、または、連続する複数のサブフィールドによるグループ単位で、設定する手段を有することを特徴とするプラズマディスプレイ装置。
【請求項１３】
請求項４記載のプラズマディスプレイ装置において、
前記回路部に、前記リミット時間（Ｌ）を、前記サブフィールド単位で、または、連続する複数のサブフィールドによるグループ単位で、設定する手段を有することを特徴とするプラズマディスプレイ装置。
【請求項１４】
請求項５記載のプラズマディスプレイ装置において、
前記回路部に、前記閾値リミット（ａ）を、前記サブフィールド単位で、または、連続する複数のサブフィールドによるグループ単位で、設定する手段を有することを特徴とするプラズマディスプレイ装置。
【発明の詳細な説明】
【技術分野】
【０００１】
本発明は、プラズマディスプレイパネル（ＰＤＰ）の駆動方法及びその表示装置（プラズマディスプレイ装置：ＰＤＰ装置）の技術に関し、特に、ＰＤＰの表示領域及び期間の駆動制御におけるリセット（初期化）期間の動作及びその制御の方式に関する。
【背景技術】
【０００２】
従来のＰＤＰ装置のＰＤＰ駆動制御として、フィールド（フィールド期間）のサブフィールド（ＳＦと略称する）のリセット期間の動作では、表示電極に対して、セルへの電荷書き込み及び調整のための波形（リセットパルス）を印加することにより、セルで微小な放電（リセット放電）を発生させる。これにより、次のアドレス期間での選択セルの放電（アドレス放電）の発生を確実化している。基本の駆動制御（ノーマル駆動：第１の駆動とする）では、ＳＦのリセット期間の動作でリセットパルスを間引かずに印加する。【０００３】
ＰＤＰ駆動方式として、上記第１の駆動を基本として、従来、以下のようなリセット間引き駆動（：第２の駆動とする）が存在する。第２の駆動では、所定の条件を満たす高輝度ＳＦのリセット期間の動作においてリセットパルスの印加を間引くことにより、高コントラストの制御を実現する。第２の駆動では、ＳＦ単位での表示の負荷率（ＳＦ負荷率又はＳＦ表示率）により、高輝度ＳＦである側から、ＳＦ負荷率がゼロの場合にリセット動作の間引きを行う。また、前記ＳＦ負荷率がゼロでない場合には、該当ＳＦのリセット動作の間引きを行わない（第１の駆動にする）。このように、第２の駆動の制御、換言すれば第１と第２の駆動の切り替えの制御によって、第２の駆動でリセット間引きによりリセット放電の発生を削減した分、背景輝度が低下し、高コントラストの表示が得られる。【０００４】
前記ＳＦ負荷率は、ＳＦの全セルに対する点灯（オン）となるセルの率である。前記ＳＦ負荷率がゼロとは、ＳＦ内で点灯のセルが無しの場合である。前記ＳＦ負荷率がゼロでないとは、ＳＦ内で点灯のセルが有りの場合である。また、前記高輝度ＳＦとは、フィールド内での輝度の重み付けが高い１つ以上のＳＦのことである。第２の駆動の制御対象となるＳＦ（リセット間引きが選択的に実行可能なＳＦ）は、フィールドにおけるＳＦの並び等に応じて、連続的な１つ以上の高輝度ＳＦになる。【０００５】
以下、第２の駆動を実行又は有効の状態を「ＯＮ」などと称する。第２の駆動を非実行又は無効の状態、換言すれば第１の駆動の実行の状態を「ＯＦＦ」などと称する。また、「ＯＮ」の場合は、リセットパルスが印加されない状態であり、「Ｒｏｆｆ」（リセットオフ）とも表す。「ＯＦＦ」の場合は、リセットパルスが印加される状態であり、「Ｒｏｎ」（リセットオン）とも表す。また、第２の駆動の制御における駆動状態の「ＯＦＦ」から「ＯＮ」への遷移・切り替えの動作（実行化）を、「ＯＦＦ→ＯＮ」などと表し、「ＯＮ」から「ＯＦＦ」への遷移・切り替えの動作（解除）を、「ＯＮ→ＯＦＦ」などと表す。
【発明の開示】
【発明が解決しようとする課題】
【０００６】
従来の前記第２の駆動の制御における以下のような問題がある。ＳＦ間で第１から第２の駆動の状態に入る際、即ち第２の駆動を実行化する場合（ＯＦＦ→ＯＮ）に、その際の制御判断の条件（ＯＮ条件）は、ＳＦのＳＦ負荷率の判定に係わり即時もしくは数ＳＦ連続などの条件である。一方、逆に第２から第１の駆動の状態に入る際、即ち第２の駆動を解除する場合（ＯＮ→ＯＦＦ）に、その際の制御判断の条件（ＯＦＦ条件）は、前記ＯＮ条件とは異なり、ＳＦのＳＦ負荷率の判定に係わり即時のみの条件となる。【０００７】
前記ＳＦのＳＦ負荷率の判定に係わり即時の条件及びその制御動作とは、例えば、或る第１のＳＦでＳＦ負荷率がゼロではなく第２の駆動がＯＦＦの状態から、続く第２のＳＦでＳＦ負荷率がゼロになる場合に、即時にその第２のＳＦから第２の駆動をＯＮへ切り替えるということである。また同様に、前記数ＳＦ連続の条件及びその制御動作とは、該当ＳＦを含む数ＳＦ連続でＳＦ負荷率がゼロになる場合に、第２の駆動をＯＦＦからＯＮへ切り替えるということである。【０００８】
上記制御において、特に低輝度表示時など、ＡＰＬ（平均輝度レベル）の緩やかな変動を伴い、かつ、高輝度ＳＦのＳＦ負荷率がゼロとゼロ以外とが繰り返されるような映像表示の場合には、第２の駆動の制御ＯＮ／ＯＦＦのハンチング（乱調）、即ち第２の駆動のＯＮ／ＯＦＦの変動が比較的短い間に繰り返される現象が発生してしまう。その結果、リセット放電回数による微小な背景輝度の変化（背景輝度のパカツキ）が発生し、これが低画質化として視認される、という問題がある。上記映像表示の場合として、例えば極端には、全黒の背景上で小さい白部が明滅する場合などが考えられる。【０００９】
また、従来の第２の駆動を行う場合の一般的な課題点としては、リセット間引きの分、リセット安定化が阻害され環境温度や経時変化への耐性が低下し、アドレスミスとなって誤表示につながる可能性がある。【００１０】
本発明は以上のような問題に鑑みてなされたものであり、その目的は、ＰＤＰ駆動制御においてリセット間引き駆動（第２の駆動）の制御による高画質化が得られると共に、特に低輝度表示の場合などにおける第２の駆動の制御ＯＮ／ＯＦＦのハンチングの発生及び背景輝度のパカツキを限定又は抑制できる技術を提供することにある。
【課題を解決するための手段】
【００１１】
本願において開示される発明のうち、代表的なものの概要を簡単に説明すれば、次のとおりである。前記目的を達成するために、本発明は、ＰＤＰとその駆動及び制御を行う回路部とを備えるＰＤＰ装置の技術であって、以下に示す技術的手段を備えることを特徴とする。【００１２】
本発明のＰＤＰ装置は、映像（原画像）信号及びその変換データ（フィールド及びＳＦデータ）に基づき、ＳＦ負荷率（ｊ）及びＡＰＬ情報を検出又は算出して、従来用いていたＳＦ負荷率（ｊ）の情報に加えて、ＡＰＬ値（ｋ）及びその変動量（ＡＰＬ変動量値：ｑ）を組み合わせて、リセット間引き駆動（第２の駆動）の制御、換言すれば第１の駆動と第２の駆動との切り替えの制御を行う手段を有する。第２の駆動の制御条件に、ＳＦ負荷率（ｊ）に加え、ＡＰＬ値（ｋ）及びＡＰＬ変動量値（ｑ）を組み合わせ、ＡＰＬ情報（ｋ，ｑ）を閾値と比較した判定の結果に従って、第２の駆動のＯＮ／ＯＦＦの切り替えが従来（ＳＦ負荷率の判定のみの制御）よりも緩やかな変動になるように制御する。これにより、特に低輝度表示時などにおける第２の駆動の制御ＯＮ／ＯＦＦのハンチングの発生に対処（抑制）する。【００１３】
ＡＰＬ値（ｋ）は、一定周期のフィールド期間（ｆ）の画面の明るさを画面平均で定量化した値である。また、平均ＡＰＬ値（ｐ）は、複数フィールドでのＡＰＬ値（ｋ）の平均値である。平均ＡＰＬ値（ｐ）は、例えば、ＡＰＬ値（ｋ）をｎフィールド期間（ｎ×ｆ）で積算（積分）してフィールド数（ｎ）で平均化した変数値である。また、ＡＰＬ変動量値（ｑ）は、所定期間におけるＡＰＬ値（ｋ）の変動量を所定の形式で計算した値である。ＡＰＬ変動量値（ｑ）は、例えば、一定周期期間であるｎフィールド期間（ｎ×ｆ）における、平均ＡＰＬ値（ｐ）の変動量（Δｐ）により計算する。時間的な平均を用いることにより、瞬間的なＡＰＬ変動を制御対象から外すものである。【００１４】
本ＰＤＰ装置及びＰＤＰ駆動方法における、前記ＡＰＬ情報（ｋ，ｑ等）の適用の構成及び第２の駆動の制御の方式として、下記が代表例として挙げられる。【００１５】
（１）第１に、第２の駆動から第１の駆動への切り替え（第２の駆動ＯＮ→ＯＦＦ）の際の制御がある。制御条件判定として、ＡＰＬ変動量値（ｑ）が所定の閾値未満の場合、例えばｎフィールド期間での平均ＡＰＬ変動量（Δｐ）が第１の閾値ｍ１（０＜ｍ１＜１）未満である場合（ｑ＜ｍ１）には、高輝度ＳＦにおけるＳＦ負荷率（ｊ）が隣接ＳＦ間でゼロ（ｊ＝０）からゼロ以外（ｊ≠０）に変化した場合でも、該当ＳＦの第２の駆動を解除（ＯＮ→ＯＦＦ）せずに実行（ＯＮ）状態を維持する。【００１６】
（２）第２に、第１の駆動から第２の駆動への切り替え（第２の駆動ＯＦＦ→ＯＮ）の際の制御がある。制御条件判定として、ＡＰＬ変動量値（ｑ）が所定の閾値未満の場合、例えばｎフィールド期間での平均ＡＰＬ変動量（Δｐ）が、第２の閾値ｍ２（０＜ｍ２＜１）未満である場合（ｑ＜ｍ２）には、高輝度ＳＦにおけるＳＦ負荷率（ｊ）が隣接ＳＦ間でゼロ以外（ｊ≠０）からゼロ（ｊ＝０）に変化した場合でも、該当ＳＦの第２の駆動を実行化（ＯＦＦ→ＯＮ）せずに非実行（ＯＦＦ）即ち第１の駆動の状態を維持する。【００１７】
（３）また更に、上記（１），（２）の二通りの制御共に、駆動の状態（ＯＮ／ＯＦＦ）が長期又は無限に変化しないままになる条件・状況が成立し得るため、加えて以下のような制御を設ける。上記閾値ｍ（ｍ１，ｍ２）を用いた制御条件判定に加えて、時間的なリミットの閾値（時間リミット値：Ｌ）、もしくは、時間ではなく累積値による閾値からの乖離のリミットの値（閾値リミット値：ａ）による制御条件判定を設ける。これにより、第１と第２の駆動の切り替えに関して、駆動の状態が長期又は無限に変化しないままにならないようにＳＦ単位の適当な箇所で、第２の駆動の実行の有無（ＯＮ／ＯＦＦ）を逆側に戻せるようにする。【００１８】
本ＰＤＰ装置は、例えば以下の構成である。本ＰＤＰ装置は、（維持電極，走査電極，アドレス電極）といった電極群によりセル群による表示領域が構成されるＰＤＰと、ＰＤＰの各種の電極群を駆動及び制御する回路部とを備え、ＰＤＰの表示領域に対応したフィールド期間の駆動制御において、フィールド期間は、階調表現のために輝度の重み付けに応じて分割された複数のＳＦを有し、ＳＦは、リセット、アドレス、及びサステインの各期間及び動作を有し、基本の制御として、ＳＦの点灯セルの率である負荷率が、ゼロ以外である場合は、第１の駆動として、当該ＳＦのリセットの期間及び動作を間引かずに駆動し、ゼロである場合は、第２の駆動として、当該ＳＦのリセットの期間及び動作の少なくとも一部を間引いて駆動するものである。そして、本ＰＤＰ装置は、表示データをもとに、フィールド期間ごとのＡＰＬ値（ｋ）を検出又は算出し、更に当該フィールド期間を含む一定期間におけるＡＰＬ値（ｋ）の変動量であるＡＰＬ変動量値（ｑ）を算出し、ＡＰＬ変動量値（ｑ）が、所定の閾値未満の場合には、当該フィールド期間内の連続するＳＦ間でその負荷率がゼロからゼロ以外に変化した場合であっても、基本の制御よりも優先して、第１の駆動の実行を開始せずに第２の駆動の実行を継続する。【００１９】
前記第２の駆動を行う場合の一般的な課題点に関して、本ＰＤＰ装置での制御の方法では、映像表示の場合として特に比較的微小なＡＰＬ変動時を対象として考慮しており、ＡＰＬ情報を用いて第２の駆動のＯＮ／ＯＦＦを従来よりも柔軟な変動にする制御を行うため、たとえＯＮ／ＯＦＦのハンチングが発生するとしても、実害が無い（即ち低画質化として感じさせない）範囲での現象に限定できる。
【発明の効果】
【００２０】
本願において開示される発明のうち、代表的なものによって得られる効果を簡単に説明すれば以下のとおりである。本発明によれば、ＰＤＰ駆動制御においてリセット間引き駆動（第２の駆動）の制御による高画質化が得られると共に、特に低輝度表示の場合などにおける第２の駆動の制御ＯＮ／ＯＦＦハンチングの発生及び背景輝度のパカツキを限定又は抑制できる。
【図面の簡単な説明】
【００２１】
【図１】本発明の一実施の形態であるＰＤＰ装置の全体の構成を示す図である。
【図２】本発明の一実施の形態のＰＤＰ装置における、ＰＤＰの構造を示す図である。
【図３】本発明の一実施の形態のＰＤＰ装置における、フィールドの構成を示す図である。
【図４】本発明の一実施の形態のＰＤＰ装置における、第１の駆動における駆動波形の構成例を示す図である。
【図５】本発明の一実施の形態のＰＤＰ装置における、第２の駆動における駆動波形の構成例を示す図である。
【図６】本発明の一実施の形態のＰＤＰ装置における、第１の駆動と第２の駆動との切り替えの制御についての基本的な例並びに設定例などを示す図である。
【図７】本発明の一実施の形態のＰＤＰ装置における、制御回路の詳しいブロック構成例を示す図である。
【図８】本発明の一実施の形態のＰＤＰ装置における、ＡＰＬ情報の概念を示す図である。
【図９】本発明の実施の形態１のＰＤＰ装置における、第１の制御の例を示す図である。
【図１０】本発明の実施の形態２のＰＤＰ装置における、第２の制御の例を示す図である。
【図１１】本発明の実施の形態３のＰＤＰ装置における、第３の制御の例を示す図である。
【図１２】本発明の前提技術のＰＤＰ装置における、第１と第２の駆動の切り替えの制御の例を示す図である。
【発明を実施するための最良の形態】
【００２２】
以下、本発明の実施の形態を図面に基づいて詳細に説明する。なお、実施の形態を説明するための全図において、同一部には原則として同一符号を付し、その繰り返しの説明は省略する。図１２は、本発明と比較してわかりやすくするために、本発明の前提技術である第２の駆動の制御の例について示すものである。【００２３】
（実施の形態１）
図１〜図９を参照しながら、本発明の実施の形態１を説明する。実施の形態１では、特徴として、ノーマル駆動（第１の駆動）とリセット間引き駆動（第２の駆動）との切り替えの制御において、ＳＦ負荷率（ｊ）のゼロ判定に加えて、ＡＰＬ変動量値（ｑ）に係わる第１の制御条件の検査を行い、その結果に基づき、第２の駆動の制御のＯＮ／ＯＦＦが柔軟な変動になるように切り替えるものである。【００２４】
＜ＰＤＰ装置＞
まず、図１において、本実施の形態のＰＤＰ装置（ＰＤＰモジュール）１００の全体の構成を説明する。本ＰＤＰ装置１００は、主に、ＰＤＰ（表示パネル）１０と、その駆動及び制御のための回路部とを備える構成である。ＰＤＰモジュールは、図示しないシャーシ部に対して、ＰＤＰ１０が貼り付けられて保持され、回路部がＩＣ等で構成され、ＰＤＰ１０と回路部とが電気的に接続される構成である。更にＰＤＰモジュールが外部筐体に収容されることにより、ＰＤＰ装置（製品セット）が構成される。【００２５】
ＰＤＰ１０の維持電極（Ｘ電極）１１，走査電極（Ｙ電極）１２，アドレス電極（Ａ電極）１５は、それぞれ対応する駆動回路（ドライバ）である、Ｘ（維持）駆動回路１０１，Ｙ（走査）駆動回路１０２，アドレス駆動回路１０５に対して接続されており、対応する駆動信号の電圧波形によって駆動される。各ドライバ（１０１，１０２，１０５）は、制御回路１１０に接続されており制御信号により制御される。制御回路１１０は、各ドライバを含むＰＤＰ装置１００の全体を制御するものであり、入力される表示データ（映像信号）をもとに、ＰＤＰ１０の駆動のための制御信号や表示データ（ＳＦデータ）等を生成し、各ドライバへ出力する。また、図示しない電源回路が、制御回路１１０等の各回路に対し電源供給する。【００２６】
なお、駆動方式に応じて回路部の構成も異なるものになる。例えば、アドレス駆動回路１０５は、ＰＤＰ１０の表示領域のアドレス電極１５の分割に応じてＰＤＰ１０の上下側に接続・配置され、それら分割されたアドレス電極１５群を上下の各アドレス駆動回路１０５から個別に駆動する構成が可能である。【００２７】
＜ＰＤＰ＞
次に、図２において、ＰＤＰ１０の構造の一例（ＡＣ型、面放電、（Ｘ，Ｙ，Ａ）三電極、Ｘ・Ｙ交互配置、及びストライプ状リブ構成）を説明する。ＰＤＰ１０は、主にガラス製の前面基板１側の前面部２０１と背面基板２側の背面部２０２とが組み合わされて構成される。【００２８】
前面部２０１において、前面基板１には、表示の繰り返しの放電を行うための電極（表示電極）である、複数の維持電極（Ｘ）１１及び走査電極（Ｙ）１２が、所定の間隔で第１方向（横方向）に平行に伸びて、第２方向（縦方向）に交互に繰り返して配置されている。これらの表示電極群（１１，１２）は、第１の誘電体層２１に覆われており、更に第１の誘電体層２１の放電空間に向かう表面は、ＭｇＯ等による保護層２２に覆われている。表示電極（１１，１２）は、例えば、それぞれ、直線状で金属製のバス電極と、バス電極に電気的に接続され隣接電極間で放電ギャップを形成する透明電極とから構成される。【００２９】
背面部２０１において、背面基板２には、複数のアドレス電極１５が、表示電極（１１，１２）と略直交する第２方向に平行に伸びて配置されている。更にアドレス電極１５群は、第２の誘電体層２３に覆われている。アドレス電極１５の両側には、第２方向に伸びる隔壁（縦リブ）２４が配置されており、表示領域の列方向のセルを区分けしている。更に、アドレス電極１５上の第２の誘電体層２３上面及び隔壁２４側面には、紫外線により励起されて赤（Ｒ），緑（Ｇ），青（Ｂ）の可視光を発生する各色の蛍光体２６が、列ごとに区別して塗布されている。【００３０】
これら前面基板１側の前面部２０１と背面基板２側の背面部２０２とを、保護層２２と隔壁２４上面部が接するように貼り合わせて、放電空間にＮｅ−Ｘｅ等の放電ガスを封入することにより、ＰＤＰ１０が構成される。【００３１】
各表示電極（１１，１２）は、それぞれ第２方向で上下両方側に隣接する他種の表示電極とそれぞれ対を成して（Ｘ，Ｙ）による行を形成し、更にアドレス電極１５が交差して隔壁２４で区切られる領域に対応してセルが構成され、それらの各セルの放電ギャップで放電が行われる構成（いわゆるＡＬＩＳ構成）である。Ｒ，Ｇ，Ｂのセルのセットで画素が構成される。【００３２】
ＰＤＰ１０は、上記例の他にも駆動方式に応じて各種構成が可能であり、本発明及び実施の形態の特徴は、これら各種構成に対しても適用可能である。ＰＤＰの他の構成例として、例えば、縦リブに加え列方向のセルを区分けする横リブも設けたボックス状リブ構成がある。また、各表示電極が、第２方向で片側に隣接する他種の表示電極と対で行を形成するノーマル構成もある。また、放電が行われないスリットの側で同種の表示電極同士が隣接して配置される構成などもある。【００３３】
＜フィールド＞
次に、図３において、ＰＤＰ１０の駆動制御の方式として、ＰＤＰ１０の表示領域（画面）に対応する映像の表示単位（フィールド又はフレームと称する）における構成を説明する。映像を構成するうちの１つのフィールド（フィールド期間）２０は、１／６０秒で表示される。１つのフィールド２０は、階調表現のために時間的に分割された複数のＳＦ（サブフレームともいう）３０により構成される。本例では、１つのフィールド２０は、１番目「＃１」から１０番目「＃１０」までの１０個のＳＦ３０により構成される。各ＳＦ３０は、リセット期間（ＴＲ）３１と、次のアドレス期間（ＴＡ）３２と、次のサステイン期間（ＴＳ）３３とからなる。フィールド２０の各ＳＦ３０は、ＴＳ３３の長さ（維持放電回数）による重み付けが与えられており、各ＳＦ３０の点灯オン／オフの組み合わせによって、階調が表現される。本例の駆動方式は、一般的な「アドレス・表示分離方式」（ＡＤＳ）の一例である。即ちＳＦ３０内のセル群を、ＴＡ３２でアドレスし、次のＴＳ３３で表示する方式である。【００３４】
駆動の概要として、ＴＲ３１では、ＳＦ３０のセル群に対して次のＴＡ３２の動作の準備のための電荷書き込み（蓄積）及び調整の動作（リセット動作）を行う。ＴＡ３２では、ＳＦ３０のセル群における点灯（オン）／非点灯（オフ）のセルを選択する動作（アドレス動作）を行う。ＴＳ３３では、ＳＦ３０の選択されたセルで表示のための繰り返しの放電（維持放電）を発生させる動作（サステイン動作）を行う。【００３５】
まず、ＴＲ３１では、直前のＴＳ３３で形成されたＳＦ３０のセルの電荷を消去すると共に、続くＴＡ３２での放電（アドレス放電）を援助・準備する目的で、例えば、表示電極（１１，１２）へのリセットパルスの印加により、セルの電荷の再配置・調整を行う。更に、ＴＲ３１は、例えば、第１の期間（ＴＲａ）３１１と第２の期間（ＴＲｂ）３１２とから構成され、リセットパルスとして、第１の期間３１１に電荷書き込みパルスを、第２の期間３１２に電荷調整パルスを印加する。これにより、セルで微小な放電（リセット放電）が発生し、次のＴＡ３２でのアドレス放電の発生を確実にする。【００３６】
次のＴＡ３２では、ＳＦ３０のセル群における点灯対象セルを選択する放電（アドレス放電）を行う。ＴＡ３２で、対象の走査電極１２に走査パルスを印加し、かつ、選択されたアドレス電極１５にアドレスパルスを印加することにより、点灯対象セルでアドレス放電を発生させる。ＳＦ３０における走査の動作としては、例えばまず１番目の走査電極１２のライン（行）のアドレスを行い、次に、２番目、３番目のラインといったように順次走査して、最終番目のラインまでのアドレスを行う。前記リセット放電の発光による輝度への影響は、前記アドレス放電の発光に比べると小さい。【００３７】
次のＴＳ３３では、すべての表示電極（１１，１２）の間（Ｘ−Ｙ）に維持放電パルスを印加することにより、前記直前のＴＡ３２で選択されたセルにおいて、維持放電を発生させて、当該セルを発光（点灯）させる。【００３８】
なお、アドレスの方式としては、点灯対象セル内に電荷を形成する方式（書き込みアドレス方式）と、非点灯対象セルの電荷を消去する方式（消去アドレス方式）とを有し、いずれに係わらず適用可能であるが、本例では前者の方式を用いる。上記各期間の区分など、詳細には各種の構成が可能である。【００３９】
＜第１の駆動の電圧波形＞
次に、図４において、第１の駆動の場合におけるＰＤＰ１０の駆動信号の電圧波形の一例を説明する。図４（ａ），（ｂ），（ｃ）は、それぞれ、ＳＦ３０のＴＲ３１からＴＳ３３における、維持電極（Ｘ）１１、走査電極（Ｙ）１２、及びアドレス電極（Ａ）１５に印加する電圧波形（Ｖｘ，Ｖｙ，Ｖａ）を示している。例として、フィールド２０における第１のＳＦ３０−１（例えばＳＦ＃１）、及びそれに連続する第２のＳＦ３０−２（例えばＳＦ＃２）の電圧波形を示している。ＴＲ３１は、前記第１の期間３１１と第２の期間３１２で構成される。なお、わかりやすいように、電極間での各種の放電の発生の箇所を丸で示している。【００４０】
第１のＳＦ３０−１では、ＴＲ３１の動作で、第１の駆動の実行（第２の駆動ＯＦＦ）でのリセットパルスの印加により、リセット放電を発生させる。続く、第２のＳＦ３０−２でも、ＴＲ３１の動作で、第１の駆動の維持でのリセットパルスの印加により、リセット放電を発生させ、直前のＳＦ３０での残存電荷を消去する。【００４１】
まず、ＴＲ３１において、（ａ）Ｖｘ，（ｂ）Ｖｙでは、第１の期間３１１に、表示電極（１１，１２）に対して電荷書き込みパルスを印加する。即ち、（ｂ）Ｖｙで、走査電極（Ｙ）１２に対し、ＳＦ３０の全セルに電荷を形成するための波形として、上昇傾斜波形５１が印加される。また、（ａ）Ｖｘで、維持電極（Ｘ）１１に対し、Ｖｙに対応する波形として、逆極性のＸ電圧４１が印加される。【００４２】
続いて、第２の期間３１２に、表示電極（１１，１２）に対して電荷調整パルスを印加する。即ち、（ｂ）Ｖｙで、走査電極（Ｙ）１２に対し、セル内に形成された電荷を必要量残して消去するための波形として、下降傾斜波形５２が印加される。また、（ａ）Ｖｘで、維持電極（Ｘ）１１に対し、Ｖｙに対応する波形として、逆極性のＸ電圧４２が印加される。【００４３】
ＴＲ３１での上記リセットパルスの印加により、表示電極（１１，１２）の間（Ｘ−Ｙ）では、弱いリセット放電が発生する。【００４４】
次のＴＡ３２において、（ａ）Ｖｘ，（ｂ）Ｖｙにおいて、行方向の点灯対象セルを決定するアドレス放電を発生させるための波形として、表示電極（１１，１２）に対して、例えば、任意の第Ｎ番目の行の走査パルス５３、及び、本放電により壁電荷を形成するためのＸ電圧４３、が印加される。走査パルス５３は、行毎にタイミングをずらして順に印加される。また同時に、（ｃ）Ｖａにおいて、点灯対象セルでは、走査パルス５３に合わせて、アドレス電極１５に対して、アドレスパルス６０が印加される。これにより、走査電極（Ｙ）１２とアドレス電極（Ａ）１５の間（Ｙ−Ａ）においてアドレス放電が生じ、対応する維持電極（Ｘ）１１との間（Ｙ−Ｘ）での壁電荷の形成に発展する。【００４５】
次のＴＳ３３において、（ａ）Ｖｘ，（ｂ）Ｖｙにおいて、表示電極（１１，１２）に対してサステインパルス（４４，４５，５４，５５）が印加され、維持放電が発生する。例えば、まず、（ａ）Ｖｘの第１の負極性のサステインパルス４４と（ｂ）Ｖｙの第１の正極性のサステインパルス５４とが印加され、続いて、（ａ）Ｖｘの第２の正極性のサステインパルス４５と（ｂ）Ｖｙの第２の負極性のサステインパルス５５とが印加され、以後同様に、極性を交互に反転させた繰り返しの波形が、当該ＳＦ３０の重み付けに応じた回数分印加される。【００４６】
＜第２の駆動の電圧波形＞
次に、図５において、第２の駆動の場合におけるＰＤＰ１０の駆動信号の電圧波形の一例を説明する。図５は、図４に比べて、第２のＳＦ３０−２におけるＴＲ３１の構成が異なる。例として、フィールド２０における第１のＳＦ３０−１（例えばＳＦ＃１）、及びそれに連続する第２のＳＦ３０−２（例えばＳＦ＃２）の電圧波形を示している。第１のＳＦ３０−１では、ＴＲ３１の動作を間引かず、続く第２のＳＦ３０−２では、例えばＳＦ負荷率がゼロであることから、ＴＲ３１の動作を一部間引く、という場合を示している。あるＳＦにおいてＳＦ負荷率がゼロの場合、セルを消灯（オフ）にするので、アドレス動作の直前のリセット動作について、実行と間引きとのいずれを選択しても構わず、間引いた場合にはリセット放電による発光を削減できる。【００４７】
第１のＳＦ３０−１では、ＴＲ３１の動作で、第１の駆動の実行（第２の駆動ＯＦＦ）でのリセットパルスの印加により、リセット放電を発生させる。続く、第２のＳＦ３０−２では、ＴＲ３１の動作で、第２の駆動の実行化（ＯＦＦ→ＯＮ）でのリセットパルスの間引きにより、リセット放電を発生させない。【００４８】
第２のＳＦ３０−２の動作として、ＴＲ３１において、第１の期間３１１及びその電荷書き込みパルスの印加が省略される。続いて第２の期間３１２に、前述と同様に電荷調整パルスが印加される。ＴＲ３１での上記リセットパルスの間引きにより、前記弱いリセット放電は発生しない。続くＴＡ３２及びＴＳ３３の動作は、前述と同様である。【００４９】
上記は連続する２つのＳＦ３０での第２の駆動の場合であるが、同様に、複数の連続するＳＦ３０間で、ＳＦ負荷率がゼロの状態が続く場合などに、第２の駆動ＯＮを維持して、リセット動作を間引くことができ、その分駆動時間を短縮できる。【００５０】
＜制御の基本＞
次に、図６において、図４のような第１の駆動と図５のような第２の駆動との切り替えの制御についての基本的な例を説明する。一定周期のフィールド２０において、（ａ）のように例えば１０個のＳＦ３０（ＳＦ＃１〜ＳＦ＃１０）を有する。（ｂ）のように、ＳＦ３０の区別において、第２の駆動の制御対象となる高輝度ＳＦは、例えば「ＳＦ＃６」〜「ＳＦ＃１０」の５つのＳＦ３０とする。また、低輝度ＳＦは、それ以外の「ＳＦ＃１」〜「ＳＦ＃５」の５つのＳＦ３０とする。【００５１】
（ｅ）のように、ＳＦ３０ごとにＳＦ負荷率（ｊ）が算出される。ｊ＝０のＳＦ３０が第２の駆動のＯＮの対象となる。例えば、「ＳＦ＃８」〜「ＳＦ＃１０」の３つのＳＦ３０でｊ＝０である場合に、当該ＳＦ３０は、（ｆ）のように、第２の駆動の「ＯＮ」の対象となる。第２の駆動のＯＮ時のＳＦ３０では、（ｇ）のように、リセットパルスの印加が間引かれる（Ｒｏｆｆ：罰印）。第１と第２の駆動の切り替えの制御としては、ＳＦ＃７からＳＦ＃８に切り替わる際に、第２の駆動を実行化（ＯＦＦ→ＯＮ）する。【００５２】
また、低輝度ＳＦとなる「ＳＦ＃１」〜「ＳＦ＃５」の５つのＳＦ３０では、例えば、ＳＦ負荷率（ｊ）にかかわらず常に第１の駆動を適用（第２の駆動ＯＦＦ）してリセットパルス印加を行う（Ｒｏｎ：丸印）。【００５３】
＜前提技術＞
図１２において、本発明の前提技術のＰＤＰ装置における第２の駆動の制御の構成及び課題点を説明する。図１２において、第２の駆動の制御における、高輝度ＳＦを対象とした、ＳＦ負荷率（ｊ）がゼロの条件での第２の駆動のＯＦＦ（Ｒｏｎ）／ＯＮ（Ｒｏｆｆ）の切り替え等を示している。上側のグラフにおいて、横軸は、フィールド２０及びＳＦ３０に対応付けられる時間（ｔ）を示し、縦軸は、ＡＰＬ値（ｋ）などを示し、ｋ（ｆ）の波形は、フィールド２０（ｆ）の推移に伴うＡＰＬ値（ｋ）を示している。ＡＰＬ値（ｋ）に関する第１の閾値（ｋ１）及び第２の閾値（ｋ２）は、本実施の形態の制御で用いる閾値に対応して示している。下側のＣ１，Ｃ２の２値波形は、上側のＡＰＬ値（ｋ）の変動の例とも対応して、図示しないＳＦ負荷率（ｊ）の変動の例に応じた第２の駆動のＯＮ（Ｒｏｆｆ）／ＯＦＦ（Ｒｏｎ）の時間的な切り替えの様子を示している。Ｃ１は、例えばＳＦ＃６に対する制御信号を表し、Ｃ２は、例えばＳＦ＃７に対する制御信号を表す。【００５４】
ｈ１，ｈ２は、第２の駆動の制御のＯＮ／ＯＦＦにおけるハンチングが生じる箇所の例である。従来では、ＳＦ負荷率（ｊ）のゼロ判定のみに応じてＯＮ／ＯＦＦを切り替えているため、ｈ１，ｈ２のように、ＳＦ負荷率（ｊ）と関連しているＡＰＬ値（ｋ）の急な変動に応じて、短い間にＯＮとＯＦＦが繰り返される場合が発生する。これが前述のような背景輝度のパカツキにつながる。なお、ＡＰＬ値（ｋ）は、ＳＦ負荷率（ｊ）と関連しているが同じ値ではない。低輝度表示時などにおいて、ＡＰＬ値（ｋ）及びＳＦ負荷率（ｊ）が小さく、かつＳＦ負荷率（ｊ）がゼロとゼロ以外とで変動するといった場合が発生し得る。【００５５】
＜制御回路＞
次に、図７において、本実施の形態のＰＤＰ装置における制御回路１１０の詳しい構成例を説明する。本実施の形態では、制御回路１１０において、第１と第２の駆動の総合的な切り替えの制御を行う。【００５６】
制御回路１１０は、ＳＦデータ変換部１１１、画像メモリ１１２、アドレスデータ転送部１１３、ＳＦ負荷率算出部１１４、ＳＦ負荷率判定部１１５、駆動波形制御部１１６、ＡＰＬ情報算出部１２０、及び、各検査部（１２１，１２２，１２３）を有する構成である。制御回路１１０には、ＰＤＰ駆動部１３０（前記各ドライバに対応する）、及び設定部１４０などが接続されている。本実施の形態で特徴的な部位として、ＡＰＬ情報算出部１２０、第１制御条件検査部１２１、第２制御条件検査部１２２、第３制御条件検査部１２３、及び設定部１３０を有する。【００５７】
ＳＦデータ変換部１１１は、入力される表示データ（映像信号）Ｄをもとに、フィールド２０及びＳＦ３０のデータ（ＳＦデータ）を変換により生成する。画像メモリ１１２は、ＳＦデータ等を格納する。アドレスデータ転送部１１３は、ＳＦデータをもとに、ＰＤＰ１０駆動のアドレス動作のためのアドレスデータをＰＤＰ駆動部１３０へ転送する。入力される表示データ（Ｄ）としては、例えば、ＴＶチューナやコンピュータ等の外部装置から、（Ｒ，Ｇ，Ｂ）の映像信号が入力される。【００５８】
駆動波形制御部１１６は、ＳＦ負荷率判定部１１５及び各検査部（１２１〜１２３）からの結果情報の入力に従い、ＰＤＰ駆動部１３０に対する駆動波形の制御信号を切り替えて出力する。本例では、駆動波形制御部１１６において、結果情報から論理的な条件をとることにより、最終的に各種の駆動制御の切り替えを行う。ＰＤＰ駆動部１３０は、駆動波形制御部１１６からの制御信号に従って、ＰＤＰ１０に対する駆動波形を出力して駆動させる。【００５９】
ＳＦ負荷率算出部１１４は、映像信号やＳＦデータをもとに、各ＳＦ３０のＳＦ負荷率（ｊ）を算出する。ＳＦ負荷率判定部１１５は、第２の駆動の制御のための基本的な判定を行う部位であり、ＳＦ３０のＳＦ負荷率（ｊ）を判定することにより、制御の内容の切り替えのための指示を駆動波形制御部１１６に出力する。【００６０】
ＳＦ負荷率判定部１１５では、制御条件として、ＳＦ３０のＳＦ負荷率（ｊ）がゼロであるか否かを判定する。基本的な方針として、高輝度ＳＦにおけるＳＦ負荷率（ｊ）がゼロ以外の場合（ｊ≠０）は、該当ＳＦ３０に対して、第２の駆動を適用せず（ＯＦＦ）に第１の駆動を適用（ＯＮ）して、リセットパルス印加を行う（Ｒｏｎ）。また、高輝度ＳＦにおけるＳＦ負荷率（ｊ）がゼロの場合（ｊ＝０）は、該当ＳＦ３０に対して、第２の駆動を適用（ＯＮ）して、リセットパルス印加を行わない（Ｒｏｆｆ）。ＳＦ負荷率判定部１１５は、判定に従い、駆動波形制御部１１６へ、第２の駆動のＯＦＦ（Ｒｏｎ）の指示（ｃ１）、またはＯＮ（Ｒｏｆｆ）の指示（ｃ２）を、結果情報として出力する。【００６１】
ＡＰＬ情報算出部１２０は、映像信号やＳＦデータをもとに、フィールド２０のＡＰＬ値（ｋ）を算出し、また、算出されたＡＰＬ値（ｋ）をもとに、更に複数フィールド２０間でのＡＰＬ変動量値（ｑ）を算出する。【００６２】
第１〜第３制御条件検査部（１２１，１２２，１２３）は、ＳＦ負荷率判定部１１５による基本的な制御に加えて、ＡＰＬ情報を用いた制御条件の検査（判定）を行う部位であり、各制御条件の検査により、制御内容の切り替え、即ち駆動波形制御部１１６に対する指示の出力を行う。各検査部での判定結果が結果情報（ｃ）として駆動波形制御部１１６へ出力される。【００６３】
駆動波形制御部１１６では、ＳＦ負荷率判定部１１５及び第１〜第３の検査部（１２１，１２２，１２３）からの結果情報の入力に従って、ＡＮＤ（論理積）やＯＲ（論理和）の条件をとることで簡単に判定し、最終的に第１と第２の駆動の切り替えを決定及び実行する。ＳＦ負荷率（ｊ）のゼロ判定の結果を基本とし、それに対して第１〜第３の検査部（１２１，１２２，１２３）の判定の結果が加わる（優先される）。駆動の切り替えに対応して、第１の駆動ＯＮ時の図４のような駆動波形、又は、第２の駆動ＯＮ時の図５のような駆動波形を出力させるための制御情報が、ＰＤＰ駆動部１３０へ出力される。【００６４】
なお、図７の構成では、第１〜第３の制御条件検査の機能をすべて備える構成を示しているが、その一部の機能を備える構成も可能である。【００６５】
＜ＡＰＬ情報＞
次に、図８において、制御に用いるＡＰＬ情報について説明する。横軸はフィールド２０（ｆ）及びＳＦ３０に対応付けられる時間（ｔ）、縦軸はＡＰＬ情報である。三角形において、ＡＰＬ変動量値（ｑ）等の概念を示している。ＡＰＬ変動量値（ｑ）は、例えば、平均ＡＰＬ値（ｐ）のｎフィールド期間（ｎ×ｆ）での変動量（Δｐ）として算出する。【００６６】
フィールド２０（ｆ）ごとのＡＰＬ値（ｋ）をもとに、複数フィールド２０における平均ＡＰＬ値（ｐ）が算出される。平均ＡＰＬ値（ｐ）は、注目フィールド２０を含む連続する複数（ｎ）のフィールド２０による一定周期期間（ｎフィールド期間：ｎ×ｆ）における各ＡＰＬ値（ｋ）を積算してそのフィールド数（ｎ）で平均化した値である。ｎは例えば６０である。そして、Δｐとして、ｎフィールド期間（ｎ×ｆ）における平均ＡＰＬ値（ｐ）の変動量が算出される。ＡＰＬ変動量値（ｑ）は、例えば、Δｐ／（ｎ×ｆ）が用いられる。三角形の傾きは、ＡＰＬ変動量値（ｑ）に関する閾値（ｍ）に対応付けられる。【００６７】
＜第１の制御＞
次に、図９等を用いて、実施の形態１のＰＤＰ装置における第１の制御を説明する。図９において、第１の制御におけるＡＰＬ情報及び制御ＯＮ／ＯＦＦの例を示している。上側のグラフにおいて、横軸の時間（ｔ）、縦軸のＡＰＬ情報において、ｋ（ｆ）は、フィールド２０（ｆ）に応じたＡＰＬ値（ｋ）の時間的推移である。平均ＡＰＬ値（ｐ）は、ｎフィールド期間（ｎ×ｆ）でのＡＰＬ値（ｋ）の平均値である。Ｃ１，Ｃ２は、輝度の異なる２つのＳＦ３０に対する制御論理を示したものであり、それぞれに対応するＡＰＬ閾値がｋ１，ｋ２となる。ｋ１，ｋ２（０＜ｋ１＜ｋ２＜１）は、第１の制御における、第２の駆動のＯＮ／ＯＦＦの判定（第１の制御条件の検査）に係わる、ＡＰＬ変動量値（ｑ）に関する閾値である。ｋ１は、例えばＳＦ＃６に対する第１及び第２の駆動を指示する制御信号Ｃ１に対応する第１の閾値であり、ｋ２は、例えばＳＦ＃７に対する制御信号Ｃ２に対応する第２の閾値である。【００６８】
下側のＣ１，Ｃ２の２値波形は、上側のＡＰＬ情報の変動の例とも対応して、図示しないＳＦ負荷率（ｊ）及び上側のＡＰＬ情報の変動の例に応じた第２の駆動のＯＮ（Ｒｏｆｆ）／ＯＦＦ（Ｒｏｎ）の時間的な切り替えの様子を示している。Ｃ１は、第１の閾値（ｋ１）に対応した第１の制御の第１のケース、Ｃ２は、第２の閾値（ｋ２）に対応した第１の制御の第２のケースである。【００６９】
第１の制御として、前記図７の第１制御条件検査部１２１では、ＡＰＬ変動量値（ｑ）として平均ＡＰＬ値（ｐ）の変動量（Δｐ）を、前記図８のような閾値（ｍ）と比較して、第２の駆動のＯＮ／ＯＦＦの切り替えを判定し、その結果情報（ｃ１１，ｃ１２）を出力する。第１制御条件検査部１２１では、Δｐの絶対値が閾値ｍ以上である場合（｜Δｐ｜≧ｍ）は、結果情報（ｃ１１）として、駆動波形が切り替え可能であること（「切替可」）、即ち第２の駆動の「ＯＮ→ＯＦＦ」又は「ＯＦＦ→ＯＮ」が可能であることを表す情報（例えば「１」）を出力する。逆に、Δｐの絶対値がｍ未満の場合（｜Δｐ｜＜ｍ）は、結果情報（ｃ１２）として、駆動波形が切り替え不可能であること（「切替不可」）、即ち第２の駆動の「ＯＮ→ＯＦＦ」又は「ＯＦＦ→ＯＮ」が不可能であることを表す情報（例えば「０」）を出力する。【００７０】
例えば、第１の閾値（ｋ１）を用いたＯＦＦ条件判定の第１のケースにおいて、第１制御条件検査部１２１は、｜Δｐ｜≧ｍ１である場合には、ＯＮからＯＦＦへの「切替可」を結果情報（ｃ１１）として出力し、｜Δｐ｜＜ｍ１である場合には、ＯＮからＯＦＦへの「切替不可」を結果情報（ｃ１２）として出力する。また、第２の閾値（ｋ２）を用いたＯＮ条件判定の第２のケースについても概略同様の処理である。【００７１】
本例では、ＡＰＬの代わりに平均ＡＰＬを判定条件として用いることにより、短期間の負荷急変に対する応答感度を落として柔軟な制御としている。図９中の白丸印では、平均ＡＰＬ変動の傾きがｍ以上であるため、Ｒｏｎ→Ｒｏｆｆに切り替える。三角印では、同傾きがｍ未満であるため、Ｒｏｆｆのまま変えない。四角印では、同傾きがｍ以上であるため、Ｒｏｆｆ→Ｒｏｎに切り替える。これらは後述の図１０，１１でも同様である。【００７２】
以上のように、ＡＰＬ変動量値（ｑ）及び閾値（ｍ）を用いた制御により、図１２のｈ１，ｈ２に対応するｓ１１，ｓ１２のような箇所でも、ＯＮ／ＯＦＦのハンチングが発生せずに柔軟な変動になる。【００７３】
（実施の形態２）
図１０等を参照しながら、本発明の実施の形態２を説明する。実施の形態２では、基本構成は実施の形態１と同様であり、特徴として、実施の形態１での第１の制御に加えて、第２の制御として、ＡＰＬ変動量値（ｑ）に係わる第２の制御条件の検査として、時間のリミットによる条件判定を追加したものである。【００７４】
＜第２の制御＞
図１０において、実施の形態２のＰＤＰ装置における第２の制御を説明する。第２の制御におけるＡＰＬ情報及び制御ＯＮ／ＯＦＦの例を実施の形態１と同様に示している。Ｌ（Ｌ１，Ｌ２）は、第２の制御における、第２の駆動のＯＮ／ＯＦＦの判定（第２の制御条件の検査）に係わる時間リミット値であり、第２の駆動のＯＮからＯＦＦへの遷移の判定の際（ＯＦＦ条件判定）に使用する値の例を示している。【００７５】
第２の制御において、前記図７の第２制御条件検査部１２２では、ＡＰＬ情報（ｋ（ｆ））を閾値（ｋ１，ｋ２）及び時間リミット値（Ｌ１，Ｌ２）と比較した結果に基づき、第２の駆動の制御を切り替える。第２制御条件検査部１２２において、第２の駆動をＯＮからＯＦＦへ切り替える際の判定として、ｋ（ｆ）が第１の閾値ｋ１以上である状態が第１の時間リミット値Ｌ１分のフィールド期間で連続した場合（ｋ≧ｋ１：Ｌ１連続）は、結果情報（ｃ２１）として、駆動波形「切替可」（「１」）を出力する。また、ｋ（ｆ）が第２の閾値ｋ２以上である状態が第２の時間リミット値Ｌ２分のフィールド期間で連続した場合（ｋ≧ｋ２：Ｌ２連続）は、結果情報（ｃ２２）として、駆動波形「切替可」（「１」）を出力する。上記条件を満たさない場合は、結果情報（ｃ２３）として、「切替不可」（「０」）を出力する。【００７６】
また上記とは別の制御方法も可能であり、以下のようになる。第２制御条件検査部１２２において、ｋ（ｆ）が第１の閾値ｋ１以下である状態が第１の時間リミット値Ｌ１分のフィールド期間で連続した場合（ｋ≦ｋ１：Ｌ１連続）は、結果情報（ｃ２１）として、駆動波形「切替可」を出力する。また、ｋ（ｆ）が第２の閾値ｋ２以下である状態が第２の時間リミット値Ｌ２分のフィールド期間で連続した場合（ｋ≦ｋ２：Ｌ２連続）は、結果情報（ｃ２２）として、駆動波形「切替可」を出力とする。それ以外の場合は、結果情報（ｃ２３）として、「切替不可」（「０」）を出力する。【００７７】
以上のように、時間リミット値（Ｌ）を用いた制御により、図１２のｈ１，ｈ２に対応するｓ２１，ｓ２２のような箇所でも、ＯＮ／ＯＦＦのハンチングが発生せずに柔軟な変動になる。【００７８】
（実施の形態３）
図１１等を参照しながら、本発明の実施の形態３を説明する。実施の形態３では、基本構成は実施の形態１と同様であり、特徴として、実施の形態１の制御に加えて、第３の制御として、ＡＰＬ変動量値（ｑ）に係わる第３の制御条件の検査として、時間ではなく累積値のリミットによる条件判定を追加したものである。【００７９】
＜第３の制御＞
図１１において、実施の形態３のＰＤＰ装置における第３の制御を説明する。第３の制御におけるＡＰＬ情報及び制御ＯＮ／ＯＦＦの例を実施の形態１と同様に示している。ａ（ａ１，ａ２）は、ＡＰＬの累積値における、閾値（ｋ１，ｋ２）との乖離のリミットを規定する閾値リミット値（累積リミット値）である。ＡＰＬの累積値に関する閾値の範囲がａの大きさとなる。ａ１は、第１の閾値（ｋ１）の範囲を決める第１の閾値リミット値、ａ２は、第２の閾値（ｋ２）の範囲を決める第２の閾値リミット値である。【００８０】
第３制御条件検査部１２３において、ｋ（ｆ）と第１の閾値ｋ１との差の絶対値が第１の閾値リミット値ａ１以上である場合（｜ｋ−ｋ１｜≧ａ１）は、結果情報（ｃ３１）として、駆動波形「切替可」を出力する。また、ｋ（ｆ）と第２の閾値ｋ２との差の絶対値が第２の閾値リミット値ａ２以上である場合（｜ｋ−ｋ２｜≧ａ２）は、結果情報（ｃ３２）として、駆動波形「切替可」を出力する。上記条件を満たさない場合は、結果情報（ｃ３３）として、「切替不可」を出力する。【００８１】
以上のように、閾値リミット（ａ）を用いた制御により、図１２のｈ１，ｈ２に対応するｓ３１，ｓ３２のような箇所でも、ＯＮ／ＯＦＦのハンチングが発生せずに柔軟な変動になる。【００８２】
＜設定＞
次に、前記図６において、前述した各種の制御に係わる設定の例を説明する。各実施の形態において、設定部１４０から制御回路１１０の駆動波形制御部１１６や各検査部（１２１〜１２３）などに対して、各制御における閾値などを予め設定し、また必要に応じて変更することができる。【００８３】
（ｃ）のように、第２の駆動の対象の設定（第１の設定）として、（ｂ）のような低輝度ＳＦ（ＳＦ＃１〜ＳＦ＃５）を第２の駆動の対象外（「０」）に設定する。また前述した高輝度ＳＦ（ＳＦ＃６〜ＳＦ＃１０）を第２の駆動の対象（「１」）に設定する。この第１の設定の場合、低輝度ＳＦでは必ず第１の駆動がＯＮ（第２の駆動がＯＦＦ）になる。また、それとは別に、（ｄ）のように、第２の駆動の対象の設定（第２の設定）として、低輝度ＳＦを第２の駆動の対象（「１」）に設定することもできる。この第２の設定の場合、低輝度ＳＦでも第２の駆動がＯＮになる。例えばスイッチ切り替えで２つの設定を選択可能とする。【００８４】
また、（ｈ）〜（ｊ）のように、各制御の制御条件の閾値（ｍ，Ｌ，ａ）の設定の例として、低輝度ＳＦでは、そのＳＦグループｇ１（＃１〜＃５）に対して一律に、同じ設定値（ｍ＃ｇ１，Ｌ＃ｇ１，ａ＃ｇ１）を設定する。また、高輝度ＳＦでは、その各ＳＦ（＃６〜＃１０）で個別に、設定値（ｍ＃６〜ｍ＃１０，Ｌ＃６〜Ｌ＃１０，ａ＃６〜ａ＃１０）を設定する。各制御条件の判定の際に、ＳＦ３０に応じた設定閾値を使用することによって、より柔軟な制御が可能である。【００８５】
以上、本発明者によってなされた発明を実施の形態に基づき具体的に説明したが、本発明は前記実施の形態に限定されるものではなく、その要旨を逸脱しない範囲で種々変更可能であることは言うまでもない。
【産業上の利用可能性】
【００８６】
本発明は、プラズマディスプレイ装置に利用できる。
【図１】
2008001470.tif 000003
【図２】
2008001470.tif 000004
【図３】
2008001470.tif 000005
【図４】
2008001470.tif 000006
【図５】
2008001470.tif 000007
【図６】
2008001470.tif 000008
【図７】
2008001470.tif 000009
【図８】
2008001470.tif 000010
【図９】
2008001470.tif 000011
【図１０】
2008001470.tif 000012
【図１１】
2008001470.tif 000013
【図１２】
2008001470.tif 000014
【国際調査報告】
2008001470.tif 000015
2008001470.tif 000016
2008001470.tif 000017
2008001470.tif 000018